(57)【要約】【課題】本発明は、濾過機能が向上した多目的用水タンクに関し、用水タンクの内側に防除液を投入時、はしごや作業台に乗って防除液を投入する煩わしさを解消し、用水タンクに投入される農業用水及び防除液の濾過を介して防除作業時、スプリンクラーや噴霧ノズルの詰まり現象を減少させることができるようにする濾過機能が向上した多目的用水タンクを提供する。【解決手段】本発明は、上部に形成された開口部を開閉するように開閉蓋が設置され、内部に収容空間が設けられた用水タンクであって、前記用水タンクの上側に設置されて内部に投入される農業用水を濾過できるように設けられた用水投入手段と、前記用水タンクの内部に防除液を投入時、防除液に含まれた異物を濾過して投入できるように、前記用水タンクの側面に設けられる防除液投入手段と、をさらに含んで構成されることを特徴とする。【選択図】図１
2018070264.tif 000002
【特許請求の範囲】
【請求項１】
上部に形成された開口部を開閉するように開閉蓋が設置され、内部に収容空間が設けられた用水タンクであって、
前記用水タンクの上側に設置されて内部に投入される農業用水を濾過するように設けられた用水投入手段と、前記用水タンクの内部に防除液を投入時、防除液に含まれた異物を濾過して投入できるように、前記用水タンクの側面に設けられる防除液投入手段と、をさらに含んで構成され、
前記防除液投入手段は、前記用水タンクの外側面に装着される薬剤投入本体と、前記薬剤投入本体の内部に収容されるように設置されて、前記用水タンクに投入される農業用薬剤に含まれた異物を濾過する薬剤濾過網体と、一側が前記薬剤投入本体に連結された状態で、他側が前記用水タンクの内部と連通されるように設置される薬剤供給配管からなることを特徴をする、濾過機能が向上した多目的用水タンク。
【請求項２】
前記用水投入手段は、長さ方向の一側が前記用水タンクの内部と連通された状態で、前記用水タンクに固定されるように設置される用水投入配管部と、前記用水投入配管部の長さ方向の一側に分離可能に結合される連結カプラーと、前記連結カプラーに着脱可能に結合され、内周縁に複数個の把持溝が形成された中空型装着具と、前記装着具を貫通して前記用水タンクの下側方向に向かうように延長されるように装着され、前記把持溝に挿入される固定突出具によって固定されるように装着される用水濾過部からなることを特徴とする、請求項１に記載の濾過機能が向上した多目的用水タンク。
【請求項３】
前記用水濾過部は、前記用水タンクに用水の投入時、投入される用水に含まれた異物を濾過する中空型メッシュ濾過体と、前記メッシュ濾過体の長さ方向の一側に結合された状態で、前記把持溝に挿入される前記固定突出具によって前記装着具に固定されるように装着される係止把持体と、前記メッシュ濾過体の長さ方向の他側に結合されて、内部を閉鎖する覆い具から構成されることを特徴とする、請求項２に記載の濾過機能が向上した多目的用水タンク。
【請求項４】
前記メッシュ濾過体は、前記用水タンクに投入される用水に含まれた異物を濾過するメッシュ網と、前記メッシュ網の外側を囲むように設置されるメッシュ網支持骨格と、前記メッシュ網支持骨格の長さ方向の一側に装着されるが、前記係止把持体に形成された連結部に連結される結合具を媒介で前記係止把持体から任意に分離離脱されないように装着される中空型先端装着具と、前記メッシュ網支持骨格の長さ方向の他側に装着されるが、前記覆い具に形成される係止ロックに連結されるロック具を媒介で前記覆い具から任意に分離離脱されないように装着される中空型後端装着具から構成されることを特徴とする、請求項３に記載の濾過機能が向上した多目的用水タンク。
【請求項５】
前記用水タンクの内側面には、前記用水タンクの下側方向に向かう前記用水濾過部の長さ方向の他側を固定するための固定具が設置されることを特徴とする、請求項２に記載の濾過機能が向上した多目的用水タンク。
【請求項６】
前記薬剤投入本体は、前記薬剤濾過網体が収容される中空型収容具と、前記収容具の下側端に一体に形成されるが下側方向に行くほど内径が徐々に狭くなるように形成される薬剤供給誘導具と、前記薬剤供給誘導具に一体に形成されて前記薬剤供給配管に連結される排出口からなることを特徴とする、請求項１に記載の濾過機能が向上した多目的用水タンク。
【発明の詳細な説明】
【技術分野】
【０００１】
本発明は、濾過機能が向上した多目的用水タンクに関し、より詳細には、用水タンクの内側に防除液を投入時、はしごや作業台に乗って防除液を投入する煩わしさを解消し、用水タンクに投入される農業用水及び防除液の濾過を介して防除作業時、スプリンクラーや噴霧ノズルの詰まり現象を減少させることができるようにする濾過機能が向上した多目的用水タンクに関する。
【背景技術】
【０００２】
農作物を生産するためには、必須に、潅水、防除、環境にやさしい製剤、液肥撒布、温／湿度調節などの水を使用して農作業が行われ、これらの作業のためには、必須に用水タンクが使用される。
【０００３】
また、潅水、防除、環境にやさしい製剤、液肥撒布などは、防除用スプリンクラーや噴霧ノズルを使用して撒布することになるが、防除用スプリンクラーのノズル口径は、小さくは１ｍｍ程度の小口径であるため、これらのノズルが目詰まらないように使用するのが何よりも重要である。
【０００４】
しかし、農業人らが農作物の生産に必要な用水として、貯水池や河川の用水、地下水、雨水などを活用するため、前記の用水を用水タンクに投入する過程で、砂、小さい砂利、各種異物が用水タンクの内部に共に投入されて、防除作業時、スプリンクラーや噴霧ノズルが詰まるようになり、異物の量が多いと、濾過器を設置しても濾過機能を喪失して、ポンプ故障の原因になることもある。
【０００５】
また、用水タンク内に防除液を投入するためには、はしごまたは作業台に乗って用水タンクの上側入口に防除液または液肥を投入することになるが、はしごまたは作業台に乗って用水タンクの上側開口部に防除液または液肥を投入する過程で、踏み外しによる安全事故が頻繁に発生しているのが実情であり、防除液または液肥に含まれた異物の濾過作業が行われていないので、防除作業時にスプリンクラーや噴霧ノズルの詰まりを誘発することになる問題が発生している実情である。
【発明の概要】
【発明が解決しようとする課題】
【０００６】
本発明は、前記した実情に鑑みて創案されたものであって、本発明の目的は、貯水池や河川の用水、地下水、雨水などを防除のための農業用水として使用する場合に、前記用水タンクに設置された用水投入手段を介して濾過し、前記用水タンクの内部に投入することにより、スプリンクラーや噴霧ノズル、管路の詰まり現象を防止できるようにする濾過機能が向上した多目的用水タンクを提供することにある。
【０００７】
また、前記用水投入手段の用水濾過部を誰でも容易に着脱できるようにすることにより、用水濾過部の迅速な洗浄及び持続的な洗浄作業の実行でスプリンクラー及び噴霧ノズルの詰まり現象を防止できるようにする。
【０００８】
また、水和剤及び自家液肥のような農業用薬剤を用水タンクに投入時、用水タンクの側面に設置される防除液投入手段を介して濾過が行われた状態で、容易に投入されるようにすることにより、防除作業の進行時に発生するスプリンクラーや噴霧ノズル、管路の詰まり現象を減らし、高齢の農業人だけでなく、女性農業人ら容易に用水タンクの内部に防除液を投入できるようにして、作業能率の向上はもちろん、防除液投入による安全事故の危険を未然に防止するようにする。
【課題を解決するための手段】
【０００９】
前記の目的を達成するための本発明は、上部に形成された開口部を開閉するように開閉蓋が設置され、内部に収容空間が設けられた用水タンクにおいて、前記用水タンクの上側に設置されて内部に投入される農業用水を濾過できるように設けられた用水投入手段と、前記用水タンクの内部に防除液を投入時、防除液に含まれた異物を濾過して投入できるように、前記用水タンクの側面に設けられる防除液投入手段と、をさらに含んで構成されることを特徴とする。
【００１０】
また、前記用水投入手段は、長さ方向の一側が前記用水タンクの内部と連通された状態で、前記用水タンクに固定されるように設置される用水投入配管部と、前記用水投入配管部の長さ方向の一側に分離可能に結合される連結カプラーと、前記連結カプラーに着脱可能に結合されるが、内周縁に複数個の把持溝が形成された中空型装着具と、前記装着具を貫通して前記用水タンクの下側方向に向かうように延長されるように装着されるが、前記把持溝に挿入される固定突出具によって固定されるように装着される用水濾過部からなる。
【００１１】
また、前記用水濾過部は、前記用水タンクに用水の投入時、投入される用水に含まれた異物を濾過する中空型メッシュ濾過体と、前記メッシュ濾過体の長さ方向の一側に結合された状態で、前記把持溝に挿入される前記固定突出具によって前記装着具に固定されるように装着される係止把持体と、前記メッシュ濾過体の長さ方向の他側に結合されて、内部を閉鎖する覆い具から構成される。
【００１２】
また、前記メッシュ濾過体は、前記用水タンクに投入される用水に含まれた異物を濾過するメッシュ網と、前記メッシュ網の外側を囲むように設置されるメッシュ網支持骨格と、前記メッシュ網支持骨格の長さ方向の一側に装着されるが、前記係止把持体に形成された連結部に連結される結合具を媒介で前記係止把持体から任意に分離離脱されないように装着される中空型先端装着具と、前記メッシュ網支持骨格の長さ方向の他側に装着されるが、前記覆い具に形成される係止ロックに連結されるロック具を媒介で前記覆い具から任意に分離離脱されないように装着される中空型後端装着具から構成される。
【００１３】
また、前記用水タンクの内側面には、前記用水タンクの下側方向に向かう前記用水濾過部の長さ方向の他側を固定するための固定具が設置され、前記防除液投入手段は、前記用水タンクの外側面に装着される薬剤投入本体と、前記薬剤投入本体の内部に収容されるように設置されて、前記用水タンクに投入される農業用薬剤に含まれた異物を濾過する薬剤濾過網体と、一側が前記薬剤投入本体に連結された状態で、他側が前記用水タンクの内部と連通されるように設置される薬剤供給配管からなる。
【００１４】
また、前記薬剤投入本体は、前記薬剤濾過網体が収容される中空型収容具と、前記収容具の下側端に一体に形成されるが、下側方向に行くほど内径が徐々に狭くなるように形成される薬剤供給誘導具と、前記薬剤供給誘導具に一体に形成されて前記薬剤供給配管に連結される排出口からなる。
【発明の効果】
【００１５】
本発明によれば、貯水池や河川の用水、地下水、雨水などを防除のための農業用水として使用する場合には、前記用水タンクに設置された用水投入手段を介して濾過して前記用水タンクの内部に投入することにより、スプリンクラーや噴霧ノズル、管路の詰まり現象を防止することができ、用水濾過部の着脱が容易であって用水濾過部の迅速な洗浄及び持続的な洗浄作業を円滑に実行することができるので、スプリンクラー及び噴霧ノズルの詰まり現象を顕著に低減させることができるようになる。
【００１６】
また、防除液投入手段を介して濾過が行われた状態で、液状の農業用薬剤を用水タンクの内側に投入することにより、防除作業の進行時に発生するスプリンクラーや噴霧ノズル、管路の詰まり現象を減らし、高齢の農業人だけでなく、女性農業人らも容易に用水タンクの内部に防除液を投入することができるので、防除作業の能率向上及び防除液投入による安全事故の危険を未然に防止することができるようになる。
【図面の簡単な説明】
【００１７】
【図１】本発明による多目的用水タンクの状態を示した状態図。
【図２】本発明による用水投入手段の状態を示した状態図。
【図３】本発明による用水投入手段の分離状態を示した分離図。
【図４】本発明による用水濾過部の状態を示した分離図。
【図５】本発明による防除液投入手段の設置状態を示した状態図。
【図６】本発明による防除液投入手段の分離状態を示した分離図。
【図７】本発明による収容具の他の実施状態を示した状態図。
【発明を実施するための形態】
【００１８】
本発明は、様々な変更を加えることができ、いろいろな実施例を有することができるところ、特定の実施例を図面に例示してに詳細に説明しようとする。しかし、これは本発明を特定の実施形態に対して限定しようとするものではなく、本発明の思想及び技術範囲に含まれるすべての変更、均等物乃至代替物を含むものと理解されるべきである。
【００１９】
また、図面に示された線などの太さや構成要素の大きさなどは、説明の明瞭性と便宜上誇張されるように示されてあり得る。
【００２０】
ある構成要素や他の構成要素に“連結されて”いるとか、“接続されて”いると言及された時には、その他の構成要素に直接的に連結されているとか、または接続されていることもあるが、中間に他の構成要素が存在することもできると理解されるべきだろう。一方に、ある構成要素が他の構成要素に“直接連結されて”いるとか、“直接接続されて”いると言及された時には、中間に他の構成要素が存在しないことと理解されるべきだろう。
【００２１】
本出願において使用した用語は、単に特定の実施例を説明するために使用されたものであって、本発明を限定しようとする意図ではなく、製品を生産する生産者や製造業者の意図または慣例によって変わることができるだろう。単数の表現は、文脈上明白に異なりに意味しない限り、複数の表現を含む。本出願書において、“含む”または“有する”などの用語は、明細書上に記載された特徴、数字、段階、動作、構成要素、部品またはこれらを組み合わせたものが存在することを指定しようとするのであって、一つまたはそれ以上の他の特徴などや数字、段階、動作、構成要素、部品またはこれらを組み合わせたものなどの存在または付加可能性をあらかじめ排除しないことと理解されるべきである。
【００２２】
以下、本発明による濾過機能が向上した多目的用水タンクを説明することにする。これに先立ち、本発明を説明するにおいて、関連する公知の機能または構成に対する具体的な説明が本発明の要旨を不必要に曖昧にすることができると判断される場合には、その詳細な説明は、省略されるだろう。
【００２３】
図１は、本発明による多目的用水タンクの状態を示した状態図であり、図２は、本発明による用水投入手段の状態を示した状態図であり、図３は、本発明による用水投入手段の分離状態を示した分離図であり、図４は、本発明による用水濾過部の状態を示した分離図であり、図５は、本発明による防除液投入手段の設置状態を示した状態図であり、図６は、本発明による防除液投入手段の分離状態を示した分離図である。
【００２４】
前記図１〜図６に示されたように、本発明による濾過機能が向上した多目的用水タンクは、上部に形成された開口部を開閉するように開閉蓋１１０が設置され、内部に収容空間が設けられた用水タンクにおいて、前記用水タンク１００の上側に設置される用水投入手段２００と、前記用水タンク１００の側面に設置される防除液投入手段３００から構成されて、貯水池や河川、地下水などの水を前記用水投入手段２００を介して投入した後、前記用水タンク１００の側面に設置された前記防除液投入手段３００を介して防除液を前記用水タンク１００に投入することにより、従来の防除液を投入するためにはしごに乗って用水タンクの上部に上がって、前記開口部を介して防除液を投入する面倒を解消するのはもちろん、前記防除液投入手段を介して防除液を濾過して用水タンクに投入することにより、防除時に発生するスプリンクラーや噴霧ノズルの詰まり現象を顕著に減少させることができるようになる。
【００２５】
前記用水投入手段２００は、前記用水タンク１００の上側に設置されて内部に投入される農業用水を濾過することができるように設けられたものであって、防除のために使用される用水は、一般的に、貯水池や河川、地下水などを使用することに応じて、これらの水をそのままスプリンクラーや噴霧ノズルを介して防除する場合には、スプリンクラーや噴霧ノズル、管路の詰まり現象が発生する問題があるので、本発明では、前記用水投入手段２００を利用してこのような現象を防止することができるようにしているのである。
【００２６】
このような前記用水投入手段２００は、長さ方向の一側が前記用水タンク１００の内部と連通された状態で、前記用水タンク１００に固定されるように設置される用水投入配管部２１０と、前記用水投入配管部２１０の長さ方向の一側に分離可能に結合される連結カプラー２２０と、前記連結カプラー２２０に着脱可能に結合されるが、内周縁に複数個の把持溝２３１が形成された中空型装着具２３０と、前記装着具２３０を貫通して前記用水タンク１００の内部下側方向に向かうように延長されるように装着されるが、前記把持溝２３１に挿入される固定突出具２７１によって固定されるように装着される用水濾過部２５０からなる。
【００２７】
すなわち、前記連結カプラー２２０を前記用水投入配管部２１０の長さ方向の一側にねじ結合した状態で、前記用水濾過部２５０を前記装着具２３０を貫通して装着し、以後、前記装着具２３０を前記連結カプラー２２０に結合して、前記用水投入手段２００を前記用水タンク１００に設置するようになるだろう。
【００２８】
ここで、前記用水投入配管部２１０の長さ方向の他側には、用水を投入するための配管が設置され、掃除用ホースを連結するための分岐管２１１が前記用水投入配管部２１０から分岐するように形成されることが望ましいだろう。
【００２９】
このように、前記用水投入手段２００の前記用水濾過部２５０を誰でも容易に着脱可能に設置することができるようになることによって、作業現場で前記用水濾過部２５０の迅速な洗浄を行うことができ、濾過峰の持続的な洗浄作業の実行によってスプリンクラー及び噴霧ノズルの詰まり現象を防止して防除作業の効率性を高めることができるようになる。
【００３０】
また、前記用水濾過部２５０は、前記用水タンクに用水の投入時、投入される用水に含まれた異物を濾過する中空型メッシュ濾過体２６０と、前記メッシュ濾過体２６０の長さ方向の一側に結合された状態で、前記把持溝２３１に挿入される前記固定突出具２７１によって前記装着具２３０に固定されるように装着される係止把持体２７０と、前記メッシュ濾過体２６０の長さ方向の他側に結合されて前記メッシュ濾過体２６０の内部を閉鎖する覆い具２８０から構成される。
【００３１】
この時、前記メッシュ濾過体２６０は、前記用水タンク１００に投入される用水に含まれた異物を濾過するメッシュ網２６１と、前記メッシュ網２６１の外側を囲むように設置されるメッシュ網支持骨格２６２と、前記メッシュ網支持骨格２６２の長さ方向の一側に装着されるが、前記係止把持体２７０に形成された連結部２７２に連結される結合具２６４を媒介で前記係止把持体２７０から任意に分離離脱されないように装着される中空型先端装着具２６３と、前記メッシュ網支持骨格２６２の長さ方向の他側に装着されるが、前記覆い具２８０に形成される係止ロック２８１に連結されるロック具２６６を媒介で前記覆い具２８０から任意に分離離脱されないように装着される中空型後端装着具２６５から構成される。
【００３２】
前記メッシュ網２６１は、前記メッシュ網支持骨格２６２の内部に設置されるものであって、前記メッシュ網支持骨格２６２により前記メッシュ網２６１が把持されることによって、用水タンクの内部に農業用水が供給される過程で、前記メッシュ網２６１の揺れ及びそれによるメッシュ網の変形を防止することができるようになる。
【００３３】
また、前記先端装着具２６３は、前記メッシュ網支持骨格２６２の長さ方向の一側に装着されて前記連結部２７２と結合具２６４を媒介で、前記係止把持体２７０に装着される。この時、前記結合具２６４は、前記先端装着具２６３の外周縁に突出するように形成される第１突出キーであり、前記連結部２７２は、前記第１突出キーが結合されるキーホール２７３及び前記キーホール２７３の終わる部分の端部で前記キーホール２７３と角度を異にしてキーホールと連なっている突出キー安着溝２７４からなる。
【００３４】
すなわち、前記先端装着具２６３の第１突出キーを前記係止把持体２７０のキーホール２７３の入口に結合した後、前記先端装着具２６３を前記係止把持体２７０の内側に押し入れた後、前記先端装着具２６３を回転させると、前記第１突出キーが前記突出キー安着溝２７４に安着されて安定的な結合状態をなすことができるようになるのである。
【００３５】
また、前記後端装着具２６５は、前記メッシュ網支持骨格２６２の長さ方向の他側に装着されて前記係止ロック２８１とロック具２６６を媒介で前記覆い具２８０に装着される。この時、前記覆い具２８０に形成される前記係止ロック２８１は、前記覆い具２８０の外周縁に突出するように形成される第２突出キーであり、前記ロック具２６６は、前記第２突出キーが結合される結合溝２６７及び前記結合溝２６７が終わる部分の端部で前記結合溝２６７と角度を異にして前記結合溝２６７と連なっているラック安着溝２６８からなる。
【００３６】
すなわち、前記覆い具２８０の第２突出キーを前記後端装着具２６５の結合溝２６７の入口に結合した後、前記覆い具２８０を前記後端装着具２６５の内側に押し入れた後、前記後端装着具２６５を回転させると、前記第２突出キーが前記ラック安着溝２６８に安着されるようになって、安定的な結合状態をなすことができるようになるのである。
【００３７】
この時、前記係止把持体２７０に形成される連結部２７２及び前記先端装着具２６３に形成される結合具２６４と、前記覆い具２８０に形成される係止ロック２８１及び前記後端装着具２６５に形成されるロック具２６６は、雌ねじ山と雄ねじ山からなって、相互ねじ結合によって結合され得るように構成することができることを明らかにしておくものである。
【００３８】
また、前記メッシュ濾過体２６０は、前記先端装着具２６３に形成される結合具２６４と前記後端装着具２６５に形成されるロック具２６６を媒介で複数個が連なって連結されるように形成され得るだろう。
【００３９】
すなわち、前記メッシュ濾過体２６０を複数個連なって連結されるように結合することにより、用水タンクの大きさに対応して、適切な長さで前記メッシュ濾過体２６０を設置することができるので、用水に含まれた異物の濾過機能向上を図ることができるだろう。
【００４０】
一方、前記用水濾過部２５０の係止把持体２７０は、前記メッシュ濾過体２６０の先端装着具２６３に結合された状態で、前記装着具２３０の内側に係止される。この時、前記係止把持体２７０が、長さ方向の一側には、前記装着具２３０の把持溝２３１に挿入される前記固定突出具２７１が外側方向に突出するように形成され、長さ方向の他側には、前記先端装着具２６３の結合具２６４が連結される連結部２７２が形成される。
【００４１】
ここで、前記先端装着具２６３の結合具２６４がねじ山である場合には、これに対応するように、前記連結部２７２もねじ山に形成され、前記先端装着具２６３の結合具２６４が突出する形状の第１突出キーである場合には、前記連結部２７２は、前記第１突出キーが結合されるキーホール２７３及び前記キーホール２７３が終わる部分の端部で前記キーホール２７３と角度を異にしてキーホールと連なる突出キー安着溝２７４からなる。
【００４２】
前記覆い具２８０は、前記メッシュ濾過体２６０の長さ方向の他側に結合されて前記メッシュ濾過体２６０の内部を覆って閉鎖するものであって、前記覆い具２８０には、前記後端装着具２６５のロック具２６６と連結される係止ロック２８１が形成される。
【００４３】
また、前記用水タンク１００の内側面には、前記用水タンク１００の下側方向に向かう前記用水濾過部２５０の長さ方向の他側を固定するための固定具２９０が設置されるが、これは、農業用水が高圧のポンプ駆動によって前記用水投入配管部２１０及び前記用水濾過部２５０を経て前記用水タンク１００の内部に排出される過程で、前記用水濾過部２５０のメッシュ濾過体２６０が激しく揺れることになるので、前記固定具２９０を介して前記用水濾過部２５０の長さ方向の他側を固定することにより、前記メッシュ濾過体２６０の揺れを防止することができるようにするのである。
【００４４】
すなわち、前記用水濾過部２５０の一側は、前記連結カプラー２２０及び装着具２３０によって固定されているが、他側は、固定されていないため、高圧の農業用水の排出過程において、前記用水濾過部２５０他側が激しく揺れるので、本発明では、前記用水濾過部２５０の他側を固定することができるようにする前記固定具２９０を前記用水タンク１００の内側に設けて農業用水の供給時に発生する前記用水濾過部２５０の揺れを未然に防止しているのである。
【００４５】
一方、前記防除液投入手段３００は、前記用水タンク１００の側面に一般成人の手が届くことができる高さに設置されて防除液を用水タンクの内側に容易に投入できるようにするものであって、これは、防除液投入作業を高齢の農業人らも容易に行うことができるようにするためである。
【００４６】
これらの前記防除液投入手段３００は、前記用水タンク１００の外側面に装着される薬剤投入本体３１０と、前記薬剤投入本体３１０の内部に収容されるように設置され、前記用水タンク１００に投入される農業用薬剤に含まれた異物を濾過する薬剤濾過網体３２０と、一側が前記薬剤投入本体３１０に連結された状態で、他側が前記用水タンク１００の内部と連通されるように設置される薬剤供給配管３３０からなる。
【００４７】
すなわち、前記薬剤濾過網体３２０に液体状の農業用薬剤を投入することになると、前記薬剤濾過網体３２０によって異物が濾過された状態で、前記薬剤供給配管３３０を経て、前記用水タンク１００の内部に排出されて防除作業の進行時に、スプリンクラーや噴霧ノズル、管路の詰まり現象を顕著に減らすことができるようになる。
【００４８】
また、防除液を用水タンクの内部に投入する作業が簡単であるので、高齢の農業人だけでなく、女性農業人らも容易に用水タンクの内部に防除液を投入することができるようになって、作業能率の向上はもちろん、防除液投入による安全事故の危険を未然に防止することができるようになる。
【００４９】
また、前記薬剤投入本体３１０は、前記薬剤濾過網体３２０が収容される中空型収容具３１１と、前記収容具３１１の下側端に一体に形成されるが、下側方向に行くほど内径が徐々に狭くなるように形成される薬剤供給誘導具３１２と、前記薬剤供給誘導具３１２に一体に形成されて前記薬剤供給配管３３０に連結される排出口３１３からなる。
【００５０】
すなわち、農業人が前記薬剤濾過網体３２０に液状の農業用薬剤を投入する場合には、前記薬剤濾過網体３２０によって濾過された液状の薬剤が前記薬剤供給誘導具３１２に沿って前記排出口３１３方向に移動されると、一定の水圧が形成されて別のポンピング部材なくても、前記排出口３１３と連結された前記薬剤供給配管３３０を介して前記用水タンク１００の内部に容易に排出され得るのである。
【００５１】
また、前記薬剤投入本体３１０の収容具３１１は、前記用水タンク１００の側面に設置される固定ナット３１４にねじ結合される固定ボルト３１５を媒介にボルト結合される構造を持つように形成される。
【００５２】
また、前記収容具３１１は、図７に示されたように、前記収容具３１１の側面に設置される係止体３１８が前記用水タンク１００の側面に設置される決着具３１７に係止されるように設置される構造を持つように形成され、前記用水タンク１００と向かい合う前記収容具３１１の側面は、前記用水タンク１００に密着されるように設置され得るように前記用水タンク１００の外周縁形状に対応されるように形成されることが望ましいだろう。
【００５３】
また、前記薬剤供給配管３３０に別の洗浄分岐配管３３１を形成して、前記防除液投入手段３００の洗浄を容易に行われることができるように構成できることを明らかにしておくのである。
【００５４】
前記のように本発明を詳細に説明したが、本発明が属する分野における通常の知識を有する者であれば、本発明のカテゴリから逸脱しない範囲で様々な変形実施が可能だろう。従って、本発明の範囲は、前述した実施例に限定せず、後述する特許請求の範囲だけでなく、この請求の範囲と均等なものなどによって定められるべきであるだろう。
【符号の説明】
【００５５】
１００    用水タンク
１１０    開閉蓋
２００    用水投入手段
２１０    用水投入配管部
２２０    連結カプラー
２３０    装着具
２５０    用水濾過部
２６０    メッシュ濾過体
２７０    係止把持体
２８０    覆い具
２９０    固定具
３００    防除液投入手段
３１０    薬剤投入本体
３２０    薬剤濾過網体
３３０    薬剤供給配管
【図１】
2018070264.tif 000003
【図２】
2018070264.tif 000004
【図３】
2018070264.tif 000005
【図４】
2018070264.tif 000006
【図５】
2018070264.tif 000007
【図６】
2018070264.tif 000008
【図７】
2018070264.tif 000009